(57)【要約】      （修正有）【課題】マイナスイオン電動歯ブラシを提供する。【解決手段】マイナスイオン電動歯ブラシは、チャンバーが形成された本体１１と、前記チャンバー内に設けられた回路基板３２１と、前記本体の前記チャンバーを画定する側壁に嵌入され、前記回路基板と接触するポゴピン４２と、前記ポゴピンが取り付けられた前記本体の表面を覆うカバーと、を備え、前記カバーと前記ポゴピンとが間接的に接触するように、前記カバーと前記ポゴピンとの間には防水のためのシール構造が設けられ、前記ポゴピン、前記カバー及び前記シール構造が何れも導電性を有することで、前記カバーと前記回路基板とが電気的に接続される。【選択図】図１
0003224383.tif 000002
【実用新案登録請求の範囲】
【請求項１】
チャンバーが形成された本体と、
前記チャンバー内に設けられた回路基板と、
前記本体の前記チャンバーを画定する側壁に嵌入され、前記回路基板と接触するポゴピンと、
前記ポゴピンが取り付けられた前記本体の表面を覆うカバーと、を備え、
前記カバーと前記ポゴピンとが間接的に接触するように、前記カバーと前記ポゴピンとの間には防水のためのシール構造が設けられ、前記ポゴピン、前記カバー及び前記シール構造が何れも導電性を有することで、前記カバーと前記回路基板とが電気的に接続されることを特徴とするマイナスイオン電動歯ブラシ。
【請求項２】
前記シール構造が導電性接着剤を備えることを特徴とする請求項１に記載のマイナスイオン電動歯ブラシ。
【請求項３】
前記シール構造が、前記導電性接着剤と前記カバーとの間に設けられた導電性発泡体をさらに備えることを特徴とする請求項２に記載のマイナスイオン電動歯ブラシ。
【請求項４】
前記チャンバーの外側から前記チャンバーの内部に向かう方向において、前記導電性発泡体と前記導電性接着剤とが部分的に重なっており、前記導電性発泡体の一部が前記導電性接着剤と重なっていないことを特徴とする請求項３に記載のマイナスイオン電動歯ブラシ。
【請求項５】
前記本体には、前記回路基板に給電するための電池を前記チャンバーに装入するための取付口が形成され、
前記取付口に着脱可能に取り付けられて前記チャンバーを密閉し、前記本体との間にシールリングが設けられた底蓋をさらに備えることを特徴とする請求項１〜４の何れか一項に記載のマイナスイオン電動歯ブラシ。
【請求項６】
前記カバーが、第１のカバーと第２のカバーとを備え、前記第１のカバーと前記第２のカバーとが前記本体の周方向に離間し、前記回路基板が第１の回路基板と第２の回路基板とを備え、前記第１の回路基板と前記第２の回路基板とが導通し、前記第１のカバーが前記ポゴピン及び前記シール構造を介して前記第１の回路基板と導通し、前記第２のカバーが前記ポゴピン及び前記シール構造を介して前記第２の回路基板と導通することを特徴とする請求項１〜４の何れか一項に記載のマイナスイオン電動歯ブラシ。
【請求項７】
前記チャンバー内まで延びる金属棒をさらに備え、
前記金属棒が長手方向に沿って突出するように前記本体に設けられたことを特徴とする請求項１〜４の何れか一項に記載のマイナスイオン電動歯ブラシ。
【請求項８】
前記カバーが前記回路基板を介して電池の正極に接続可能であり、前記金属棒が前記回路基板を介して前記電池の負極に接続可能であることを特徴とする請求項７に記載のマイナスイオン電動歯ブラシ。
【請求項９】
前記金属棒と前記回路基板とがスプリングを介して導通し、前記スプリングが圧縮されて前記金属棒に当接することを特徴とする請求項７に記載のマイナスイオン電動歯ブラシ。
【請求項１０】
前記本体のチャンバー内に、前記マイナスイオン電動歯ブラシを振動可能にする振動ユニットが設けられたことを特徴とする請求項１〜４の何れか一項に記載のマイナスイオン
電動歯ブラシ。
【考案の詳細な説明】
【技術分野】
【０００１】
本考案は、電動歯ブラシ分野に関し、特にマイナスイオン電動歯ブラシに関する。
【背景技術】
【０００２】
先行技術において、マイナスイオン歯ブラシと人体とを直列に接続し通電によりマイナスイオンを放出することによって、歯を洗浄する効果を図る。マイナスイオン歯ブラシの場合、密封防水性を確保する必要があるだけでなく、歯ブラシの表面をその内部の回路に導通可能にする必要もある。先行技術において、超音波溶接により密封防水を実現できたが、効果が好ましくなく、水漏れが起こりやすい。
【考案の概要】
【考案が解決しようとする課題】
【０００３】
本考案は、防水効果が良好なマイナスイオン電動歯ブラシを提供することを目的とする。
【課題を解決するための手段】
【０００４】
本考案は、マイナスイオン電動歯ブラシを提供し、マイナスイオン電動歯ブラシは、
チャンバーが形成された本体と、
前記チャンバー内に設けられた回路基板と、
前記本体の前記チャンバーを画定する側壁に嵌入され、前記回路基板と接触するポゴピンと、
前記ポゴピンが取り付けられた前記本体の表面を覆うカバーと、を備え、
前記カバーと前記ポゴピンとが間接的に接触するように、前記カバーと前記ポゴピンとの間には防水のためのシール構造が設けられ、前記ポゴピン、前記カバー及び前記シール構造が何れも導電性を有することで、前記カバーと前記回路基板とが電気的に接続される。
【０００５】
好ましくは、前記シール構造が導電性接着剤を備える。
【０００６】
好ましくは、前記シール構造が、前記導電性接着剤と前記カバーとの間に設けられた導電性発泡体をさらに備える。
【０００７】
好ましくは、前記チャンバーの外側から前記チャンバーの内部に向かう方向において、前記導電性発泡体と前記導電性接着剤とが部分的に重なっており、前記導電性発泡体の一部が前記導電性接着剤と重なっていない。
【０００８】
好ましくは、前記本体には、前記回路基板に給電するめの電池を前記チャンバーに装入するための取付口が形成され、前記マイナスイオン電動歯ブラシは、前記取付口に着脱可能に取り付けられて前記チャンバーを密閉し、前記本体との間にシールリングが設けられた底蓋をさらに備える。
【０００９】
好ましくは、前記カバーが、第１のカバーと第２のカバーとを備え、前記第１のカバーと前記第２のカバーとが前記本体の周方向に離間し、前記回路基板が第１の回路基板と第２の回路基板とを備え、前記第１の回路基板と前記第２の回路基板とが導通し、前記第１のカバーが前記ポゴピン及び前記シール構造を介して前記第１の回路基板と導通し、前記第２のカバーが前記ポゴピン及び前記シール構造を介して前記第２の回路基板と導通する。
【００１０】
好ましくは、前記マイナスイオン電動歯ブラシは前記チャンバー内まで延びる金属棒をさらに備え、前記金属棒が長手方向に沿って突出するように前記本体に設けられる。
【００１１】
好ましくは、前記カバーが前記回路基板を介して電池の正極に接続可能であり、前記金属棒が前記回路基板を介して前記電池の負極に接続可能である。
【００１２】
好ましくは、前記金属棒と前記回路基板とがスプリングを介して導通し、前記スプリングが圧縮されて前記金属棒に当接する。
【００１３】
好ましくは、前記本体のチャンバー内に、前記マイナスイオン電動歯ブラシを振動可能にする振動ユニットが設けられる。
【考案の効果】
【００１４】
このように、本考案は、ポゴピンにより回路基板とカバーとを導通させ、ポゴピンとカバーとの間にシール構造を設けることによって防水密封を実現し、良好な防水密封効果を実現する。
【図面の簡単な説明】
【００１５】
【図１】図１は、本考案の実施の形態に係る電動歯ブラシを示す断面図である。
【図２】図２は、本考案の実施の形態に係る電動歯ブラシを示す分解模式図である。
【図３】図３は、本考案の実施の形態に係る電動歯ブラシを示す正面図である。
【図４】図４は、図３のＣ−Ｃ線の断面図である。
【図５】図５は、図４のＥ部分の拡大図である。
【図６】図６は、本考案の実施の形態に係る電動歯ブラシを示す背面図である。
【図７】図７は、図６のＧ−Ｇ線の断面図である。
【図８】図８は、図７のＨ部分の拡大図である。
【図９】図９は、正極スプリングと固定部材とが組み立てられた様子を示す構造模式図である。
【図１０】図１０は、電池の正極と回路基板とが接続された様子を示す構造模式図である。
【図１１】図１１は、回路接続ユニットとカバーユニットとが接続された様子を示す構造模式図である。
【考案を実施するための形態】
【００１６】
以下、本考案の例示的な実施の形態について、図面を参照しながら説明する。以下の詳細な説明は、当業者に本考案をどのように実施するかを示すためのものに過ぎず、本考案のあり得る実施の形態をすべて網羅する意図ではなく、本考案の範囲を限定する意図でもない。
【００１７】
特に断りがない限り、下記の説明において、長手方向Ａとは、マイナスイオン電動歯ブラシの長手方向を指し、前側Ｕとは、長手方向における前側（ブラシヘッド側）を指し、後側Ｄとは、長手方向における後側（底蓋側）を指す。正面Ｆとは、マイナスイオン電動歯ブラシの正面、すなわち、マイナスイオン電動歯ブラシの毛が向いている方向を指し、背面Ｂとは、マイナスイオン電動歯ブラシの背面、すなわち、マイナスイオン電動歯ブラシの毛の反対方向を指す。
【００１８】
図１〜図１１に示すように、本考案は、本体ユニット１と、底蓋２と、回路接続ユニット３と、カバーユニット４と、シール構造５とを備えるマイナスイオン電動歯ブラシを提供する。
【００１９】
図１及び図２に示すように、本体ユニット１は、本体１１と、金属棒１２と、ブラシヘッド１３とを備え、本体１１はチャンバーが形成された略円筒状であり、本体１１の長手方向Ａの一端（後側端）には取付口が設けられ、金属棒１２は本体１１に挿通されてチャンバー内まで延び、本体１１の長手方向Ａの他端（前側端）に突出して設けられる。金属棒１２と本体１１とは、射出成形により一体に接続成形することができる。この場合、両者の間には隙間がなく、水漏れが生じない。ブラシヘッド１３は金属棒１２に着脱可能に外挿され、一定期間使用した後に、ブラシヘッド１３を取り外して新しいブラシヘッド１３に交換可能である。ブラシヘッド１３には水導入孔１４及び水導出孔１５が設けられ、水導入孔１４及び水導出孔１５は金属棒１２に連通することで、口腔内の液体（例えば、唾液）は水導入孔１４を通して金属棒１２を濡らして、口腔と金属棒１２との電気的な接続を可能にする。
【００２０】
本体１１には後述するポゴピン４２を取り付けるための段付き孔１６（図５参照）が設けられ、段付き孔１６は本体１１の径方向外側部分の径が本体１１の径方向内側部分の径よりも大きいことで、ポゴピン４２を径方向外側から本体１１に取り付けることは可能となる。
【００２１】
本体ユニット１は、導光部１７と透光部１８とをさらに備え、導光部１７は回路接続ユニット３（ホルダ３１）に接続可能であり、透光部１８は導光部１７の近くに位置し、本体１１の表面の溝内に設けられ、溝の肉厚は薄い。ここで、本体１１はプラスチック製で形成可能であり、プラスチックの厚みが薄い場合に透光可能である。回路接続ユニット３（第１の回路基板３２１）のインジケーターランプからの光は導光部１７によって導光されて透光部１８を通して出射可能である。
【００２２】
図１、図２、図９及び図１０に示すように、底蓋２は有底の略円筒形状であり、本体１１の取付口に着脱可能に接続される。取付口から電池６を本体１１内部のチャンバーに装入することができる。底蓋２には、正極スプリング２１と固定部材２２とが設けられ、正極スプリング２１は固定部材２２を介して底蓋２に取り付けられ、固定部材２２は正極スプリング２１を固定支持するためのものである。正極スプリング２１は、金属が様々な形状に折り曲げられて形成可能であり、正極スプリング２１により電池６の正極と回路接続ユニット３（回路基板３２）とを導通させることができればよい。正極スプリング２１は接点部２３を有し、接点部２３は回路接続ユニット３に接触する時に、底蓋２の径方向に沿って弾性変形可能であり、例えば径方向内側に弾性変形可能である。
【００２３】
底蓋２と本体１１との間にはシールリング２４、例えばＯリングが設けられる。具体的には、底蓋２には、シールリング２４を嵌入して底蓋２の外周面と本体１１の内周面との間に挟持する環状溝を形成してもよい。シールリング２４は底蓋２と本体１１との間の隙間に液体が浸入するのを防止することができ、密封防水の効果を実現することができる。
【００２４】
図１、図２、図１０及び図１１に示すように、回路接続ユニット３は本体１１の内部のチャンバーに設けられる。回路接続ユニット３は、ホルダ３１と、回路基板３２と、正極導通シート３３と、負極スプリング３４とを備える。
【００２５】
回路接続ユニット３は電池６と回路基板３２とを接続するためのものであり、これにより、電池６は回路基板３２に給電する。
【００２６】
回路基板３２及び負極スプリング３４はホルダ３１に接続され、負極スプリング３４はチャンバーの前側Ｕに位置し、負極スプリング３４は電池６と回路基板３２とを接続し、これにより電池６の負極と回路基板３２とを導通させ、電池６により回路基板３２に給電
する。電池６を本体１１に装入する時に、負極スプリング３４が長手方向Ａに沿って圧縮されるように電池６を負極スプリング３４に長手方向に沿って押し付けることができる。
【００２７】
正極導通シート３３は回路基板３２に接続され、正極導通シート３３はチャンバーの後側Ｄに位置し、底蓋２と本体１１とが一体に組み立てられた時に、正極スプリング２１の接点部２３は正極導通シート３３に接触して、電池６の正極と回路基板３２とを導通させることができる。
【００２８】
回路基板３２は複数枚であってもよく、例えば回路基板３２は第１の回路基板３２１と第２の回路基板３２２とを備え、第１の回路基板３２１と第２の回路基板３２２とは導線３２３を介して導通される。第１の回路基板３２１はチャンバーの正面Ｆに位置し、第２の回路基板３２２はチャンバーの背面Ｂに位置する。第１の回路基板３２１には押圧操作可能なスイッチと、発光可能なインジケーターランプとが設けられ、正極導通シート３３と負極スプリング３４とは何れも第１の回路基板３２１と導通する。
【００２９】
回路基板３２（第１の回路基板３２１）には、ヘッド部スプリング３５がさらに接続され、ヘッド部スプリング３５の一端は回路基板３２に接続され、他端は金属棒１２に当接し、これにより、回路基板３２と金属棒１２とを導通させて電気的に接続する。ヘッド部スプリング３５は、金属棒１２との当接が維持されるように、長手方向Ａに沿って圧縮可能である。
【００３０】
ここで、正極スプリング２１、負極スプリング３４及びヘッド部スプリング３５が何れも弾性を有し、弾性を有するスプリングにより２つの部材を電気的に接続することによって、電気的接続の安定性を維持することができ、振動などに起因する電気的接続の接触不良を回避することができる。
【００３１】
ホルダ３１には振動ユニット３６がさらに接続され、振動ユニット３６はホルダ３１の長手方向Ａの前側Ｕに位置し、振動ユニット３６を振動させることによってマイナスイオン電動歯ブラシ全体を振動させることができる。これにより、歯に対するより良い洗浄効果が得られる。振動ユニット３６は振動モータであってもよい。
【００３２】
図１〜図８に示すように、カバーユニット４はカバー４１と、ポゴピン４２と、ボタン４３と、シール被覆材４４とを備える。
【００３３】
カバー４１は、ポゴピン４２が取り付けられた本体１１の表面を覆い、本体１１の表面には、カバー４１を嵌入して本体１１に接続するための溝を形成してもよい。
【００３４】
ポゴピン４２は段付き孔１６に嵌入されて本体１１に挿通されることで、回路基板３２とカバー４１とを接続する。カバー４１は導電材料、例えば金属材料から形成されるため、カバー４１と回路基板３２とはポゴピン４２を介して導通して電気的に接続される。
【００３５】
図５及び図８に示すように、ポゴピン４２は全体として柱状であり、ポゴピン４２は取付部４２１と可動部４２２とを備え、取付部４２１には案内部が設けられ、可動部４２２は取付部４２１に対してポゴピン４２の長手方向（軸方向）に沿って移動可能に案内部に嵌合装着される。案内部にはスプリングのような弾性部材４２３が設けられ、弾性部材４２３は取付部４２１と可動部４２２との間に位置することで、可動部４２２はポゴピン４２の軸方向に沿って移動して弾性部材４２３を圧縮することができる。
【００３６】
取付部４２１は段付き形状であり、回路基板３２に可動部４２２が接触するように本体１１の段付き孔１６に嵌合可能である。
【００３７】
カバー４１は複数であってもよく、例えば、カバー４１は第１のカバー４１１と第２のカバー４１２とを備え、第１のカバー４１１と第２のカバー４１２とは本体１１の周方向に離間し、第１のカバー４１１は本体１１の正面Ｆに設けられ、第２のカバー４１２は本体１１の背面Ｂに設けられる。複数のカバー４１を設けることによって、歯ブラシ使用中に、カバー４１で覆われた部分が把持されるのを確保することができる。
【００３８】
第１のカバー４１１には、ボタン４３が挿通可能な孔が設けられ、シール被覆材４４は第１のカバー４１１と本体１１との間に設けられ、かつ第１のカバー４１１上の孔を覆い、シール被覆材４４と第１のカバー４１とは射出成形により一体に形成することができる。ボタン４３を押圧することによって第１の回路基板３２１に位置するスイッチを制御することができる。
【００３９】
さらに、ボタン４３として、異なる機能を実現するために２つ設けてもよく、例えば、スイッチを制御するためのボタンと、振動ユニット３６の振動モードを調整するためのボタンとの２つのボタンを設けてもよい。
【００４０】
図１、図５〜図８に示すように、シール構造５は導電性接着剤５１を備え、シール構造５はポゴピン４２とカバー４１との間に設けられ、ポゴピン４２と段付き孔１６との間の隙間を密封するためのものであり、導電性接着剤５１は段付き孔１６内に充填される。
【００４１】
ここで、導電性接着剤５１は防水可能であり、導電性接着剤５１をポゴピン４２に塗布することによってポゴピン４２と本体１１との間の密封防水を実現することができる。
【００４２】
さらに、シール構造５は導電性発泡体５２をさらに備え、導電性発泡体５２は導電性接着剤５１とカバー４１との間に設けられ、導電性発泡体５２は弾性を有するため、導電性接着剤５１とカバー４１との間の隙間を埋めることができる。
【００４３】
ここで、材質によっては、温度の影響による変形係数が異なり、特に金属製のポゴピン４２と非金属製の導電性接着剤５１とは変形係数が大きく異なるため、温度が変化する環境において、導電性接着剤５１とカバー４１との間には隙間が生じる可能性がある。このような隙間が存在すると、ポゴピン４２とカバー４１との接触不良が起こりやすいが、弾性を有する導電性発泡体５２は充填物としてこの問題を解決することができる。
【００４４】
さらに、導電性発泡体５２が導電性接着剤５１の縁部位置に存在し、チャンバーの外側からチャンバーの内部に向かう方向において、導電性発泡体５２と導電性接着剤５１とが部分的に重なっている。ここで、導電性接着剤５１が固化する時に導電性接着剤５１と重なった導電性発泡体５２の部分が硬化し、弾性を失うことがある。この場合、導電性発泡体５２の充填物としての効果に影響を与える。本考案において、導電性発泡体５２の一部が導電性接着剤５１と重なっており、導電性発泡体５２の残りの部分が導電性接着剤５１と重なっていないため、この残りの部分は依然として弾性を維持して上記の状況を回避することができる。
【００４５】
次は、マイナスイオン電動歯ブラシの作動原理について説明する。
【００４６】
電池６の正極は、正極スプリング２１及び正極導通シート３３を介して回路基板３２に接続され、電池６の負極は、負極スプリング３４を介して回路基板３２に接続され、これにより回路基板３２を通電可能にする。金属棒１２は、ヘッド部スプリング３５を介して回路基板３２に接続されてさらに電池６の負極に接続され、カバー４１は、ポゴピン４２を介して回路基板３２に接続されてさらに電池６の正極に接続される。歯を磨く時に、使
用者の手がカバー４１に接触し、金属棒１２が口腔内に挿入されることで、人体が回路中に接続される。つまり、歯を磨く時に、電池６、金属棒１２、カバー４１及び人体が閉回路を形成し、これにより金属棒１２からマイナスイオンを口腔内に放出する。
【符号の説明】
【００４７】
１  本体ユニット
１１  本体
１２  金属棒
１３  ブラシヘッド
１４  水導入孔
１５  水導出孔
１６  段付き孔
１７  導光部
１８  透光部
２  底蓋
２１  正極スプリング
２２  固定部材
２３  接点部
２４  シールリング
３  回路接続ユニット
３１  ホルダ
３２  回路基板
３２１  第１の回路基板
３２２  第２の回路基板
３２３  導線
３３  正極導通シート
３４  負極スプリング
３５  ヘッド部スプリング
３６  振動ユニット
４  カバーユニット
４１  カバー
４１１  第１のカバー
４１２  第２のカバー
４２  ポゴピン
４２１  取付部
４２２  可動部
４２３  弾性部
４３  ボタン
４４    シール被覆材
５  シール構造
５１  導電性接着剤
５２  導電性発泡体
６  電池
Ａ  長手方向
Ｕ  前側
Ｄ  後側
Ｆ  正面
Ｂ  背面
【図１】
0003224383.tif 000003
【図２】
0003224383.tif 000004
【図３】
0003224383.tif 000005
【図４】
0003224383.tif 000006
【図５】
0003224383.tif 000007
【図６】
0003224383.tif 000008
【図７】
0003224383.tif 000009
【図８】
0003224383.tif 000010
【図９】
0003224383.tif 000011
【図１０】
0003224383.tif 000012
【図１１】
0003224383.tif 000013